(57)【要約】【課題】ユーザーが睡眠から覚醒していない場合にはスヌーズ機能が動作し続け、ユーザーが覚醒した後にはスヌーズ機能の設定を簡単に解除することができる重ね型携帯端末装置を提供する。【解決手段】少なくとも表示部１１を有する第１筐体３２と、少なくとも主操作部１６を有する第２筐体３４とが開閉可能に連結され、主操作部１６は閉状態にて第１筐体３２により覆われ且つ開状態にて外側に露出する重ね型携帯端末装置３０であって、アラーム機能及びスヌーズ機能の設定及び解除を行うと共に、スヌーズ機能の作動中に第１，第２筐体３２，３４を閉状態から開状態とした場合には、表示部１１にスヌーズ機能の設定又は解除を選択することができるスヌーズ設定解除選択画面７０を表示するように制御する制御部６２と、アラーム機能によりアラーム音を発生するスピーカー部１３とを有するようにした。【選択図】      図８
2004166144.tif 000002
【特許請求の範囲】
【請求項１】
少なくとも表示部を有する第１筐体と、少なくとも主操作部を有する第２筐体とが開閉可能に連結され、
前記主操作部は閉状態にて前記第１筐体により覆われ且つ開状態にて外側に露出する重ね型携帯端末装置であって、
アラーム機能及びスヌーズ機能の設定及び解除を行うと共に、前記スヌーズ機能の作動中に前記第１，第２筐体を閉状態から開状態とした場合には、前記表示部にスヌーズ機能の設定又は解除を選択することができるスヌーズ設定解除選択画面を表示するように制御する制御部と、
前記アラーム機能によりアラーム音を発生するスピーカー部と
を有することを特徴とする重ね型携帯端末装置。
【請求項２】
前記第１，第２筐体の開閉状態を検出する開閉状態検出部を有し、
前記制御部は、前記スヌーズ機能の作動中に前記第１，第２筐体が閉状態から開状態になったことを前記開閉状態検出部にて検知した場合には、前記表示部に前記スヌーズ設定解除選択画面を表示させるように制御する
ことを特徴とする請求項１に記載の重ね型携帯端末装置。
【請求項３】
閉状態にて前記第１，第２筐体の互いに対向する面以外の面に少なくとも一つの補助操作部を備え、
前記制御部は、前記スピーカー部からアラーム音が発せられているときに前記補助操作部により操作された場合には前記アラーム音を停止させるように制御する
ことを特徴とする請求項１又は請求項２に記載の重ね型携帯端末装置。
【発明の詳細な説明】
【０００１】
【発明の属する技術分野】
本発明は、携帯電話機やＰＤＡ（Ｐｅｒｓｏｎａｌ  Ｄｉｇｉｔａｌ  Ａｓｓｉｓｔａｎｔｓ）等の携帯端末装置に関し、特に、互いに重ね合わせ可能に連結された複数の筐体から構成される重ね型携帯端末装置に関するものである。
【０００２】
【従来の技術】
【特許文献１】特開平１１−２１５２１８号公報
【特許文献２】特開２００２−１４１９８４号公報
【特許文献３】特開２００２−１３５３８０号公報
【特許文献４】特開平７−２８８８６０号公報
【０００３】
従来は、携帯端末装置の携帯性をより高めるようにしたものとして、例えば折り畳み構造を有する重ね型携帯端末装置があり、特に図９に示すような重ね型携帯電話機２が一般的に知られている。
【０００４】
この重ね型携帯電話機２は、一方の筐体４の内側面１０に出力情報を表示するＬＣＤ（液晶ディスプレイ）等の表示面１２及びスピーカー１３が設けられており、他方の筐体６の内側面１４には主操作部１６及びマイク１５が設けられている。
【０００５】
主操作部１６には、表示面１２に表示される項目を選択することができるように、上下左右の方向に指示することができる十字キー１８、数字や文字等を入力することができるテンキー２０、その他各種のキーが配置されている。
【０００６】
また、このような重ね型携帯電話機２とは別の構造として、携帯端末装置の携帯性を高めると共に、その操作性を高めるために、折り畳んだ状態又はこれに相当する状態にした場合であっても、ＬＣＤ等の表示面を見ることができるようにしたものがある。
【０００７】
このような携帯端末装置としては、例えば前記特許文献１、特許文献２、及び特許文献３に記載されているような重ね型携帯端末装置がある。これらの重ね型携帯端末装置は、連結される２つの筐体を開いた状態では、図９に示す重ね型携帯電話機２の姿勢と同様に、一方の筐体に設けられているＬＣＤ等の表示面が外側を向いている。
【０００８】
しかしながら、このような従来の重ね型携帯端末装置は、前記重ね型携帯電話機２とは異なり、２つの筐体の連結部で、一方の筐体を１８０度捻りながら折り畳んで重ねることができる構造になっているので、ＬＣＤ等の表示面が外側に向くようにして２つの筐体を重ねることができる。
【０００９】
また、他の従来の重ね型携帯端末装置としては、前記特許文献４に記載されているものがある。この重ね型携帯端末装置は、ＬＣＤ等の表示面が設けられている一方の筐体と、操作部が設けられている他方の筐体が、表示面と操作部を同じ方向に向けて重ねた状態で、これらの２つの筐体を貫く方向に設けられた軸により連結されている。
【００１０】
このような重ね型携帯端末装置は、一方の筐体が他方の筐体に対し、軸を中心として扇子を広げるような動作により開くことができ、また、ＬＣＤ等の表示面が外側に向いたままの状態で、２つの筐体を重ねた状態にしておくことができるようになっている。
【００１１】
これら従来の重ね型携帯端末装置には、様々な機能が搭載されるようになっており、その機能のうちの１つとして、後述するスヌーズ機能を利用することのできるアラーム機能を備えたものがある。
【００１２】
アラーム機能は、ユーザーが設定した時刻に、重ね型携帯端末装置のスピーカー部からアラーム音を鳴らすようにするものであり、設定時刻に鳴り出したアラーム音は、一定時間経過後自動的に停止するようになっている。また、ユーザーがアラーム音を感知して、自動的に停止するのを待たずに停止させることができるように、主操作部のいずれかの特定のキーがアラーム停止の役割を持つようになっている。
【００１３】
そして、アラーム機能の設定と共にスヌーズ機能を設定すると、アラーム機能により設定時刻に鳴り出したアラーム音は、一定時間経過後自動的に停止するか、又は主操作部の特定のキーを押すことにより一旦停止するが、スヌーズ機能により所定時間経過後に再び鳴り始めるようになっている。
【００１４】
再び鳴り始めたアラーム音は、一定時間経過後に自動的に停止するか、又は主操作部の特定のキーを押すことにより一旦停止させることはできるが、スヌーズ機能の設定を解除しない限り、一旦停止後に所定時間経過毎に何度でも鳴り始めるようになっている。
【００１５】
このようなスヌーズ機能は、二度寝の防止や所定の時刻であることをユーザーに気付かせるのに利用することができ、スヌーズ機能の設定を解除しない限りアラーム音が再び鳴り始めるようになっているので、ユーザーを睡眠から確実に覚醒させたり、所定の時刻であることを確実に知らせるのに便利である。
【００１６】
【発明が解決しようとする課題】
しかしながら、ユーザーが完全に覚醒した後、または所定の時刻であることに気付いた後は、スヌーズ機能により再びアラーム音を鳴らす必要はなくなるが、従来の重ね型携帯端末装置のスヌーズ機能は、その設定を直ちに解除することができないという問題があった。
【００１７】
すなわち、スヌーズ機能の設定を解除する場合には、重ね型携帯端末装置を閉じた状態から開いた状態にして、主操作部を使える状態にしなければならないと共に、ＬＣＤ等の表示部に操作の待受け画面等が表示されているような状態から、主操作部による複数の操作を行うことににより、図７に示すようなスヌーズ機能の解除を行うためのスヌーズ設定解除選択画面７０を表示させなければならない。
【００１８】
具体的には、図１０に示すように、スヌーズ設定解除選択画面７０を表示部に表示させるまでの操作として、重ね型携帯端末装置を閉じた状態からこれを開いて（矢印ｆ）、表示部に各種機能の選択画面を表示させ（矢印ｉ）、選択画面の項目等を確認しながら、主操作部の操作により時計機能の項目を選択及び決定（矢印ｊ）した後、さらに主操作部により同様の操作を繰り返し行う必要があった（矢印ｋ，ｌ）。
【００１９】
このような主操作部を何度も繰り返し操作することは、睡眠から目醒めたばかりのユーザーにとっては煩わしい作業となり、また、所定の時刻が過ぎていることに気付いて急いでいるユーザーにとっても煩わしい作業となっていた。
【００２０】
そこで、本発明は、ユーザーが睡眠から覚醒していない場合や、所定の時刻であることに気付いていない場合にはスヌーズ機能が動作し続け、ユーザーが睡眠から覚醒した後や、所定の時刻であることに気付いた後にはスヌーズ機能の動作を簡単に解除することができる重ね型携帯端末装置を提供することを課題とするものである。
【００２１】
【課題を解決するための手段】
上記課題を解決するために本発明は、
少なくとも表示部を有する第１筐体と、少なくとも主操作部を有する第２筐体とが開閉可能に連結され、
前記主操作部は閉状態にて前記第１筐体により覆われ且つ開状態にて外側に露出する重ね型携帯端末装置であって、
アラーム機能及びスヌーズ機能の設定及び解除を行うと共に、前記スヌーズ機能の作動中に前記第１，第２筐体を閉状態から開状態とした場合には、前記表示部にスヌーズ機能の設定又は解除を選択することができるスヌーズ設定解除選択画面を表示するように制御する制御部と、
前記アラーム機能によりアラーム音を発生するスピーカー部とを有することを特徴とするものである。
【００２２】
本発明の重ね型携帯端末装置によれば、スヌーズ機能の動作を解除したい場合には、重ね型携帯端末装置を開くことにより直ちにスヌーズ設定解除選択画面を表示させることができるので、ユーザーは簡単にスヌーズ機能の動作を解除することができる。また、重ね型携帯端末装置を開くという動作は、アラーム音によりユーザーが睡眠から覚醒した後でなければ行うことができない程度に難しく、またアラーム音により設定した時刻になったことに気付いてからでないと行うことができないので、スヌーズ機能の本来の目的を損なうことがない。
【００２３】
【発明の実施の形態】
以下、本発明に係る重ね型携帯端末装置の実施の形態について、図面に基づいて具体的に説明する。
【００２４】
図１ないし図８は、本発明の重ね型携帯端末装置の一実施の形態に係る重ね型携帯電話機３０について説明するために参照する図である。これらの図に示す重ね型携帯電話機３０は、従来の重ね型携帯電話機２と同様の部分には同じ符号を付して説明し、従来と同様の構成についての重複する説明は省略するものとする。
【００２５】
本実施の形態に係る重ね型携帯電話機３０は、図１及び図２に示すように、第１筐体３２と第２筐体３４で構成され、第１筐体３２と第２筐体３４を貫く方向に設けられた軸３６を介して連結されている。
【００２６】
この重ね型携帯電話機３０は、第１筐体３２と第２筐体３４を重ねた状態でも表示面１２を外側から見ることができるように、第１筐体３２の、第２筐体３４とは反対側の面にＬＣＤ等の表示部１１が設けられている。
【００２７】
また、第２筐体３４の第１筐体３２側の面には、図３に示すように、主操作部１６として、表示面１２に表示される項目を選択することができるように、上下左右の方向に指示することができる十字キー１８、数字や文字等を入力することができるテンキー２０や、その他各種のキー２２が配置されている。
【００２８】
そして、図１及び図２に示すように、第１筐体３２と第２筐体３４を重ねた状態でも操作することもできるように、第１筐体３２及び第２筐体３４のそれぞれの側面３８，４０には、補助操作部としてのサイドキー４２と３方向レバー４４が設けられている。
【００２９】
また、符号１３ａ及び１３ｂはそれぞれ、第１筐体３２の表示部１１が配置された面に、この表示部１１を上下に挟むようにして配置されたスピーカーで、着信を受けた時には受話用のスピーカーとして機能し、また、アラーム機能が設定されている場合には、所定の時刻になるとアラーム音を発生させるようになっている。また、符号１５は第２筐体３４の主操作部１６が配置された面に設けられた送話用のマイクである。
【００３０】
また、重ね型携帯電話機３０は、第１筐体３２と第２筐体３４が重ねられた状態から、軸３６を中心にして、第１筐体３２を図１中の矢印ａに示すように、１８０度回動することにより，図３及び図４に示すように、第２筐体３４に設けられた主操作部１６が外側に見える、開いた状態にすることができる。また、このとき表示面１２は主操作部１６と略同じ方向を向いた状態で回動するため、重ね型携帯電話機３０が開いた状態でも表示面１２を外側から見ることができる。
【００３１】
なお、本実施の形態に係る重ね型携帯電話機３０は、第１筐体３２が軸３６を中心にして回動するような構造としたが、これとは別の実施の形態として、レール等を設けて、図１に示した状態から第１筐体３２が、第２筐体３４に対して矢印ｂに示す方向にスライドする構造としてもよい。
【００３２】
また、第１筐体３２と第２筐体３４が連結されて、この連結部が折り畳み動作のみをすることができるような構造としたものでもよく、或は、この連結部が折り畳み動作と捻り動作を共にすることができるような構造としたものであってもよい。
【００３３】
ところで、本発明では、図１及び図２に示すような状態を「重ねた状態」又は「閉状態」といい、図３及び図４に示すような状態を「開状態」ということとする。そして、「閉状態」から「開状態」にすることを「開動作」といい、「開動作」から「閉状態」にすることを「閉動作」ということとする。
【００３４】
次に、主操作部１６、サイドキー４２及び３方向レバー４４等について説明する。重ね型携帯電話機３０は、図３に示すように、開状態では、第２筐体３４の第１筐体３２側に設けられている、十字キー１８、テンキー２０及びその他各種のキー２２からなる主操作部１６を操作することができるようになっている。このとき誤動作を防止するために、サイドキー４２及び３方向レバー４４を用いて行われる操作は無効となるようにする。
【００３５】
閉状態で使用する３方向レバー４４は、図５に示すように、図中上方向（矢印ｃ方向）及び下方向（矢印ｄ方向）に回動することができ、そしてセンター方向（矢印ｅ方向）に押し込むことができるようになっている。
【００３６】
したがって、閉状態において、重ね型携帯電話機３０の機能等の項目を選択するための選択画面等を、表示面１２に表示したような場合には、３方向レバー４４の動作を、図５中の上方向（矢印ｃ方向）及び下方向（矢印ｄ方向）に回動したときには項目の選択に、センター方向（矢印ｅ方向）に押し込んだときには選択した項目の決定に割り当てることができるので、主操作部１６の十字キー１８と同様に、選択画面等に対する操作に用いることができる。
【００３７】
また、アラーム機能を利用している場合においては、３方向レバー４４を図５中のセンター方向（矢印ｅ方向）に押し込んだときの動作を、アラーム音を停止するための操作に割り当ててある。
【００３８】
図１ないし図４に示すサイドキー４２は、それを押し込むことができるようになっていて、選択画面等に対する操作として、３方向レバー４４により誤った項目に決定してしまったような場合には、サイドキー４２を押し込むことによりこの決定をキャンセルして、一つ前の表示画面に戻すことができるようになっている。
【００３９】
なお、本実施の形態においてはサイドキー４２は、特にアラーム音を停止するための操作等に用いるものではないが、３方向レバー４４と同様に、アラーム音を停止するための操作に用いるものとして設定することができるようにしてもよい。
【００４０】
さらに、本実施の形態に係る重ね型携帯電話機３０は、図４に示すように、その背面にカメラ４６、鏡４８、及び録画用マイク５０を備えており、これらは、重ね型携帯電話機３０が開状態でも、或は閉状態でも動作することができるようになっている。
【００４１】
図６は、重ね型携帯電話機３０の回路図を示し、符号６０に示す各種機能部等は、制御部６２に制御されて動作するようになっている。この回路図において、状態検出手段６４（開閉状態検出部）は、図１ないし図４において図示されていないが、第１筐体３２と第２筐体３４が閉状態にあるか、或は開状態にあるのかを検出して、制御部６２にその旨の信号を出力するものである。このような状態検出手段６４は、例えば第１筐体３２の回動により導通する接点を設けるようにしてもよいし、或は機械的スイッチやセンサーを設けるようにしてもよい。
【００４２】
そして、この状態検出手段６４は、第１筐体３２と第２筐体３４とが閉状態のときにＬ信号（Ｌｏｗ信号）を制御部６２に出力し、閉状態からわずかに開いた状態ないし開ききった状態のときにＨ信号（Ｈｉｇｈ信号）を制御部６２に出力するような構成としてもよい。
【００４３】
また、第１筐体３２と第２筐体３４とが閉状態ないし開ききる直前までの状態のときにＬ信号を制御部６２に出力し、開ききった状態のときにＨ信号（Ｈｉｇｈ信号）を制御部６２に出力するような構成としてもよい。
【００４４】
或は、状態検出手段６４は、閉状態、開状態、及びその間の中間状態の３つの状態を検出するようにして、これを制御部６２に出力するような構成としてもよい。
【００４５】
また、制御部６２は、アラーム機能と共にスヌーズ機能が動作している場合、閉状態から開状態になった旨の信号を状態検出手段６４より受けたときには、表示面１２に、図７に示すようなスヌーズ設定解除選択画面７０を表示するように制御を行うようになっている。
【００４６】
次に、図８に基づいて、重ね型携帯電話機３０のスヌーズ機能の作動を解除するときの動作について説明する。
【００４７】
重ね型携帯電話機３０のアラーム機能とスヌーズ機能が共に設定されていて、閉状態であるときに、アラーム機能により設定時刻に鳴り出したアラーム音は、３方向レバー４４をセンター方向（図５中、矢印ｅ方向）に押し込むことにより、一旦停止させることができる。そして、従来のスヌーズ機能と同様に、スヌーズ機能の設定を解除しない限り、アラーム音は一旦停止してもその後に所定時間経過毎に何度でも鳴り始める。
【００４８】
ユーザーが、アラーム音により睡眠から覚醒して、または所定時刻になったことに気付いて、スヌーズ機能の作動を解除するために開動作を行うと（図８中、矢印ｈ）、状態検出手段６４がこれを検出して、制御部６２にその旨の信号を出力する。そして、制御部６２は、図７に示すようなスヌーズ設定解除選択画面７０を、表示面１２に表示させる。
【００４９】
したがって、ユーザーは、従来の重ね型携帯端末装置におけるスヌーズ機能の作動の解除のための多数の操作（図１０中、矢印ｆ，ｉ，ｊ，ｋ，ｌ）を行う必要がなく、開動作（図８中、矢印ｈ）を行うだけで、直ちにスヌーズ機能の設定を解除する操作を行うことができるようになっている。
【００５０】
また、アラーム機能によるアラーム音が鳴り出したときに、重ね型携帯電話機３０が開状態である場合には、主操作部１６におけるアラームを停止させるための特定のキーにより、アラームを一旦停止させることができる。
【００５１】
そして、スヌーズ機能の作動を解除するには、従来と同様に、多数の操作（図８中、矢印ｉ，ｊ，ｋ，ｌ）を行うことにより、スヌーズ設定解除選択画面７０を表示面１２に表示させることができるが、一度閉動作（図８中、矢印ｇ）を行い、さらに開動作（図８中、矢印ｈ）を行うことによっても、スヌーズ設定解除選択画面７０を表示面１２に表示させることができるので、直ちにスヌーズ機能の作動を解除する操作を行うことができる。
【００５２】
なお、重ね型携帯電話機３０の開動作は、通常、第１筐体３２と第２筐体３４を手で持って行わなければならないため、例えば睡眠中のユーザーがアラーム音により覚醒した後でなければ行うことができない程度に難しく、また設定した時刻になってアラーム音が鳴っていることに気付いてからでないと行うことはできない。そのため、この開動作によってスヌーズ機能の本来の目的を損なうようなことはない。
【００５３】
また、本実施の形態では、第１筐体３２と第２筐体３４が閉状態から開状態となったことを状態検出手段６４で検知したときに、表示部１１にスヌーズ設定解除選択画面７０を表示させるようにしたが、状態検出手段６４により第１筐体３２と第２筐体３４が閉状態から開動作を開始した時に、表示部１１にスヌーズ設定解除選択画面７０を表示させるようにしたものであっても構わない。
【００５４】
また、本発明に係る実施の形態においては、重ね型携帯電話機３０の補助操作部を第１筐体３２及び第２筐体３４の各側面３８，４０に配置した例を示したが、これ以外に第１筐体３２の表示部１１が配置された面や第２筐体３４の主操作部１６が配置された面と隣り合う端面など、閉状態にて第１筐体３２と第２筐体３４の互いに対向する面以外の面に配置してあれば良い。
【００５５】
また、本発明に係る重ね型携帯端末装置は、図９に示すような重ね型携帯端末装置も含め、３つ以上の筐体により構成されている場合であっても、同様の技術的思想に基づいて適用することができることはいうまでもない。
【００５６】
さらに、上記実施の形態においては携帯電話機について説明したが、本発明はＰＤＡ等の他の種類の携帯端末装置にも、同様に適用することができる。
【００５７】
【発明の効果】
以上に説明したように、本発明の重ね型携帯端末装置によれば、スヌーズ機能の動作を解除したい場合には、重ね型携帯端末装置を開く動作を行うことにより直ちにスヌーズ設定解除選択画面を表示させることができるので、スヌーズ機能の本来の目的を損なうことなく、ユーザーは簡単にスヌーズ機能の動作を解除することができる。
【００５８】
そのため、例えばスヌーズ機能を設定して、アラーム音を目覚ましに使う場合は、ユーザーは睡眠から完全に覚醒することができると共に、起きた後は重ね型携帯端末装置を開く動作を行うことにより、スヌーズ機能の動作の解除を簡単に行うことができる。
【００５９】
また、スヌーズ機能を設定して、アラーム音を会議や外出等の時刻報知に用いる場合は、ユーザーは所定の時刻になったことを気付くことができると共に、気付いた後は重ね型携帯端末装置を開く動作を行うことにより、スヌーズ機能の動作の解除を簡単に行うことができる。
【図面の簡単な説明】
【図１】本発明の一実施の形態に係る重ね型携帯電話機３０の閉じた状態を示す正面図である。
【図２】図１における重ね型携帯電話機３０の左側面図である。
【図３】本発明の一実施の形態に係る重ね型携帯電話機３０の開いた状態を示す正面図である。
【図４】図３における重ね型携帯電話機３０の背面図である。
【図５】図１における３方向レバー４４を示す第２筐体３４の部分拡大図である。
【図６】本発明の一実施の形態に係る重ね型携帯電話機３０の回路を示すブロック図である。
【図７】図３における重ね型携帯電話機３０の表示面１２に表示されるスヌーズ設定解除選択画面７０を示す図である。
【図８】図７に示すスヌーズ設定解除選択画面７０を表示させるまでの操作経路を示す図である。
【図９】従来の重ね型携帯電話機２を示す斜視図である。
【図１０】従来のスヌーズ設定解除選択画面７０を表示させるまでの操作経路を示す図である。
【符号の説明】
２  折り畳み型携帯電話機
４，６  筐体
１０  内側面
１１  表示部
１２  表示面
１３，１３ａ，１３ｂ  スピーカー
１４  内側面
１５  マイク
１６  主操作部
１８  十字キー
２０  テンキー
２２  キー
３０  重ね型携帯電話機
３２  第１筐体
３４  第２筐体
３６  軸
３８，４０  側面
４２  サイドキー
４４  ３方向レバー
４６  カメラ
４８  鏡
５０  録画用マイク
６０  各種機能部
６２  制御部
６４  状態検出手段
７０  スヌーズ設定解除選択画面
【図１】
2004166144.tif 000003
【図２】
2004166144.tif 000004
【図３】
2004166144.tif 000005
【図４】
2004166144.tif 000006
【図５】
2004166144.tif 000007
【図６】
2004166144.tif 000008
【図７】
2004166144.tif 000009
【図８】
2004166144.tif 000010
【図９】
2004166144.tif 000011
【図１０】
2004166144.tif 000012